(57)【特許請求の範囲】
【請求項１】
電話回線を介してテキストデータと、少なくとも静止画、動画、音声のいずれか１のデータとをサーバーから取得可能な１の親機と、その親機と必要に応じて無線で接続され、画像表示装置の接続可能な少なくとも１の子機とから構成される通信装置であって、
前記子機が、
前記親機に対して前記サーバーからデータを取得し送付することを要求するためのデータ要求手段と、
前記親機に対して前記画像表示装置の接続の有無を報知する接続報知手段とを備え、
前記親機が、
電話回線を介して取得したデータを子機に送信する際に、子機、又は、子機及び接続された画像表示装置で展開可能なデータの種類を前記接続報知手段の報知に基づき識別する展開データ識別手段と、
サーバから取得したデータを子機に送信する際に、前記展開データ識別手段の識別に基づき子機、又は、子機及び接続された画像表示装置で展開可能なデータのみを送信する送信手段とを備えることを特徴とする通信装置。
【請求項２】
請求項１に記載の通信装置における前記各手段としてコンピュータシステムを機能させるためのプログラム。
【請求項３】
請求項１に記載の通信装置における前記各手段としてコンピュータシステムを機能させるためのプログラムが記録されたコンピュータで読み取り可能な記録媒体。
【発明の詳細な説明】
【０００１】
【発明の属する技術分野】
本発明は通信装置、プログラム、記録媒体に係り、詳しくは、電話回線を介してテキスト及び画像のデータをサーバーから取得可能な親機と、その親機と必要に応じて無線で接続される子機とから構成される電話機やファクシミリなどの通信装置と、その通信装置を実現するようにコンピュータシステムを機能させるためのプログラム、そのプログラムが記録されたコンピュータで読み取り可能な記録媒体に関するものである。
【０００２】
【従来の技術】
近年、ＮＴＴ社より「Ｌモード」と呼ばれる情報サービスが提供されている。このＬモードは、Ｌモード対応の通信機器（電話機やファクシミリなど）から、メニュー操作により、電話感覚で文字や簡易な画像を中心とした情報検索や電子メールの送受信などが利用できるサービスである。
尚、Ｌモードにおける情報検索や電子メールの送受信は、ＮＴＴ社が設置しているＬモードゲートウェイを経由して行われる。
【０００３】
電話機やファクシミリは、電話回線に接続される親機と、その親機と必要に応じて無線で接続される子機とからなる親子電話が各家庭での主流をなっている。このため、Ｌモード対応の電話機、ファクシミリで、子機側からも情報検索を行えるようにしたいとの要求がある。
【０００４】
【発明が解決しようとする課題】
しかしながら、親機−子機間の通信は、無線で行われ通信速度が遅いため、Ｌモード上で検索されたデータを親機から子機へ送ると、通信に時間がかかるという問題が発生する。ここで、Ｌモードでは、Ｌモードゲートウェイとの接続時間（通信時間）に応じて課金される従量制がとられていため、通信に時間をとられると、高額なＬモード使用料を払わなければならないという問題がある。
【０００５】
さらに、子機には、液晶等からなる小さな表示装置しか備えられておらず、検索した情報を表示しても、見づらいという問題がある。
【０００６】
本発明は上記問題点を解決するためになされたものであって、以下の目的を有するものである。
(1)親機、子機からなる通信装置で、サーバーから取得した情報を子機側で快適に閲覧することが可能な通信装置を提供する。
(2)上記(1)の通信装置を実現するようにコンピュータシステムを機能させるためのプログラムを提供する。
(3)上記(1)の通信装置を実現するようにコンピュータシステムを機能させるためのプログラムが記録されたコンピュータで読み取り可能な記録媒体を提供する。
【００１５】
【課題を解決するための手段および発明の効果】
係る目的を達成するためになされた請求項１に記載の通信装置は、電話回線を介してテキストデータと、少なくとも静止画、動画、音声のいずれか１のデータとをサーバーから取得可能な１の親機と、その親機と必要に応じて無線で接続され、画像表示装置の接続可能な少なくとも１の子機とから構成される通信装置であって、
前記子機が、
前記親機に対して前記サーバーからデータを取得し送付することを要求するためのデータ要求手段と、
前記親機に対して前記画像表示装置の接続の有無を報知する接続報知手段とを備え、
前記親機が、
電話回線を介して取得したデータを子機に送信する際に、子機、又は、子機及び接続された画像表示装置で展開可能なデータの種類を前記接続報知手段の報知に基づき識別する展開データ識別手段と、
サーバから取得したデータを子機に送信する際に、前記展開データ識別手段の識別に基づき子機、又は、子機及び接続された画像表示装置で展開可能なデータのみを送信する送信手段とを備えることを技術的特徴とする。
【００１６】
請求項１に記載の通信装置では、親機が、電話回線を介して取得したデータを子機に送信する際に、子機、又は、子機及び接続された画像表示装置で展開可能なデータの種類を識別し、子機、又は、子機及び接続された画像表示装置で展開可能なデータのみを送信する。このため、子機側では、サーバーから取得したデータの内の展開可能なデータを適正に閲覧することが可能となる。
【００１７】
次に、請求項２に記載のプログラムは、請求項１に記載の通信装置における前記各手段としてコンピュータシステムを機能させるためのプログラムを提供するものである。
つまり、請求項１に記載の通信装置における前記各手段を実現するための機能は、コンピュータシステムで実行されるプログラムとして備えることができる。
【００１８】
次に、請求項３に記載の記録媒体は、請求項１に記載の通信装置における前記各手段としてコンピュータシステムを機能させるためのプログラムが記録されたコンピュータで読み取り可能な記録媒体を提供するものである。  このようなプログラムの場合、例えば、ＲＯＭやバックアップＲＡＭをコンピュータで読み取り可能な記録媒体として前記プログラムを記録しておき、このＲＯＭあるいはバックアップＲＡＭをコンピュータシステムに組み込んで用いることができる。
この他、半導体メモリ（スマートメディア，メモリスティックなど），ハードディスク，フロッピーディスク，データカード（ＩＣカード，磁気カードなど），光ディスク（ＣＤ−ＲＯＭ，ＣＤ−Ｒ，ＣＤ−ＲＷ，ＤＶＤなど），光磁気ディスク（ＭＯなど），相変化ディスク，磁気テープなどのコンピュータで読み取り可能な記録媒体に前記プログラムを記録しておき、そのプログラムを必要に応じてコンピュータシステムにロードして起動することにより用いてもよい。
【００１９】
【発明の実施の形態】
［第１実施形態］
以下、本発明に係る第１実施形態について図面を参照して説明する。
図１は、ＮＴＴ社が提供するＬモードにおける通信システム１０の概略構成を示すブロック図である。
Ｌモードにおける通信システム１０は、Ｌモード対応の各種通信機器１１、インターネット網１２、インターネット網１２に接続された各種通信機器１３、情報提供者の通信機器１４、公衆電話回線１５、Ｌモードゲートウェイ１６などから構成されている。
【００２０】
Ｌモード対応の各種通信機器１１には、例えば、Ｌモード対応の電話機やファクシミリ、ＩＣカード公衆電話機などがある。
ＷＷＷサーバ（図示略）を介してインターネット網１２に接続された各種通信機器１３には、例えば、パーソナルコンピュータや携帯電話機などがある。
通信機器１４を用いて各種情報（日々の生活に役立つ情報、地域に密着した情報）を提供する情報提供者（例えば、天気予報提供者（日本気象協会など）、銀行、証券会社、新聞社、販売店など）は、ＮＴＴ社が提供するＬメニューリストに登録されている。
【００２１】
各通信機器１１，１３，１４およびインターネット網１２は、公衆電話回線１５を介して、ＮＴＴ社が設置しているＬモードゲートウェイ１６（ＧＷ）に接続されている。
そして、Ｌモード対応の各種通信機器１１は、第１経路（公衆電話回線１５→Ｌモードゲートウェイ１６→公衆電話回線１５）または第２経路（公衆電話回線１５→Ｌモードゲートウェイ１６→公衆電話回線１５→インターネット網１２→→公衆電話回線１５）を通じて情報提供者の通信機器１４と各種情報および電子メールを送受信することができる。
また、Ｌモード対応の各種通信機器１１は、インターネット網１２に接続された各種通信機器１３と前記第２経路を通じて各種情報および電子メールを送受信することができる。
尚、Ｌモードゲートウェイ１６は、実際には、ＮＴＴ西日本社とＮＴＴ東日本社にそれぞれ１つずつ設けられて互いに接続されている。
【００２２】
図２は、Ｌモード対応の各種通信機器１１の一例であるＬモード対応ファクシミリの本体２０の外観を示す平面図である。
Ｌモード対応ファクシミリの本体２０には、表示器２１および多数のボタン（キー）類２２が配設されており、ハンドセット（図示略）が接続されると共に、本体２０を親機とするコードレスホンの子機（図示略）が別体に設けられている。
表示器２１は、例えば、液晶ディスプレイやプラズマディスプレイなどから構成されている。表示器２１には、Ｌモードゲートウェイ１６と本体２０との回線が接続中であることを示すピクトグラム、回線接続が切断されたことを示すメッセージ文（例えば「切断されました」など）、予め設定された待ち受け画面などが表示される。
【００２３】
ボタン類２２を構成する各ボタンには、ダイヤルボタンを構成するテンキー、各種操作（例えば、留守番電話の設定・解除、スピーカー再生、保留または子機への切替など）を行うための各種機能ボタン、電子メールに関する操作を行う際に用いられるＥメールボタン２２ａ、Ｌモードに関する操作を行う際に用いられるＬボタン２２ｂ、表示器２１に表示されるカーソル（図示略）を上下左右に移動させるカーソル移動ボタン（スクロールボタン）２２ｃなどがある。
【００２４】
図３は、Ｌモード対応ファクシミリの本体２０の電気的構成を示すブロック回路図である。
Ｌモード対応ファクシミリの本体２０には、表示器２１、ボタン類２２、パネルＧＡ（Gate Array）４１、モータ４２、サーマルヘッド４３、スキャナ４４、センサ類４５、ＡＦＥ（Analog Front End）４６、メロディＩＣ４７、スピーカ４８、ＲＴＣ（Real Time Clock）４９、ＲＯＭ５０、ＲＡＭ５１、ＥＥＰＲＯＭ５２、子機用高周波（ＲＦ：Radio Frequency）ユニット５３、クロスポイントスイッチ５４、ハンドセット５５、ＮＣＵ５６、ＣＰＵ（Central Processing Unit）５７、記録回路５８、読取回路５９、ＦＡＸ・データモデム６０などが備えられている。
【００２５】
ＣＰＵ５７は、親機としての本体２０および子機（図示略）を含めたＬモード対応ファクシミリ全体の動作を制御する。ＣＰＵ５７には、記録回路５８、読取回路５９、パネルＧＡ４１、ＦＡＸ・データモデム６０、ＡＦＥ４６、ＲＴＣ４９、ＲＯＭ５０、ＲＡＭ５１、ＥＥＰＲＯＭ５２、子機用ＲＦユニット５３が接続されている。
尚、ＣＰＵ５７，記録回路５８，読取回路５９，ＦＡＸ・データモデム６０は１チップＩＣ６１によって構成され、その１チップＩＣ６１は１チップＦＡＸエンジンと呼ばれる。
【００２６】
記録回路５８は、ＣＰＵ５７の制御処理に従い、プリンタを構成するモータ４２およびサーマルヘッド４３の動作を制御する。モータ４２は、Ｌモード対応ファクシミリの本体２０に印刷用紙を供給排出するために移動させる。サーマルヘッド４３は、感熱紙からなる印刷用紙に印刷を行う。
読取回路５９は、ＣＰＵ５７の制御に従い、スキャナ４４の動作を制御する。スキャナ４４は、原稿に印刷されている文字や画像を読み取り、その文字や画像のデータを読取回路５９へ出力する。
センサ類４５は、印刷用紙がセットされていることを検出する印刷用紙検出センサ、ハンドセット５５がセットされていることを検出するハンドセット検出センサなど、本体２０に備えられた各種センサから構成されている。
パネルＧＡ４１は、ボタン類２２および表示器２１とＣＰＵ５７との間でデータ信号の仲介を行うためのインタフェースとして機能する。
【００２７】
ＦＡＸ・データモデム６０は、ファクシミリの送受信データの変復調を行うと共に、Ｌモードにおける各種情報および電子メールの送受信データの変復調を行う。
ＡＦＥ４６は、メロディＩＣ４７およびクロスポイントスイッチ５４とＣＰＵ５７およびＦＡＸ・データモデム６０との間でデータ信号のサンプリングおよび変換を行う。
メロディＩＣ４７は、ＣＰＵ５７の制御処理に従い、電話の着信音メロディを生成し、スピーカ４８を駆動して当該着信音メロディを発音させる。
【００２８】
ＲＴＣ４９は、現在の時刻および年月日を計測し、それらのデータをＣＰＵ５７へ出力する。ＲＯＭ５０は、ＣＰＵ５７が各種制御を実行するための各種制御プログラムを記憶している。ＲＡＭ５１は、ＣＰＵ５７の作業領域や各種データの展開領域を提供する。
ＥＥＰＲＯＭ５２は、電話やファクシミリの送信先の電話番号、電子メールの送信先やインターネット網１２に接続された各種通信機器１３，１４のＵＲＬ（Uniform Resource Locator）などを記憶している。
【００２９】
子機用ＲＦユニット５３は、コードレスホンの子機（図示略）と親機である本体２０とを無線を通じて接続するために、ＣＰＵ５７と子機との間でデータ信号を無線で送受信する。
クロスポイントスイッチ５４は、子機用ＲＦユニット５３、ＮＣＵ５６、電話の送受話器からなるハンドセット５５、ＡＦＥ４６のそれぞれの間で転送されるデータ信号を切り替えて仲介する。
ＮＣＵ５６は、公衆電話回線１５に接続されて網制御を行い、公衆電話回線１５に対するダイヤル信号を送り出すと共に、公衆電話回線１５からの呼出信号に対する応答などを行う。
【００３０】
図４は、ファクシミリの子機１２０の外観を示している。該子機１２０には、小型の液晶からなる表示器１２１とボタン類１２２とが備えられている。図５は、子機１２０の電気的構成を示すブロック図である。該子機１２０には、表示器１２１、ボタン類１２２、パネルＧＡ（Gate Array）１４１、スピーカ１７２、マイクロホン１７４、ＣＰＵ１５７，、ＲＯＭ１５０、ＲＡＭ１５１、ＥＥＰＲＯＭ１５２、親機２０との通信を行う親機用ＲＦユニット１５３などが備えられている。
【００３１】
図６は、第１実施形態に係るファクシミリ装置本体（親機）２０と子機１２０との接続関係を説明するための図である。第１実施形態では、ファクシミリ装置本体（親機）２０は、公衆電話回線１５及び図示しない交換機を介してＬモードゲートウェイ１６に接続され、Ｌモード上での情報検索が可能なようになっている。そして、子機１２０は、親機２０と無線接続され、Ｌモード上での情報の取得を指令し、親機２０は、Ｌモードゲートウェイ１６（サーバー）から取得したテキスト及び画像データの内のテキストベースデータを子機１２０へ送信する。このため、子機１２０での情報検索及び情報表示が可能となる。また、テキストベースデータが送られるため、伝送速度の遅い親機−子機間の無線でも情報を短時間で転送することができ、Ｌモードゲートウェイ１６から取得した情報を快適に閲覧することが可能となる。
【００３２】
［親機２０のＣＰＵ５７が実行する主な制御処理］
図７〜図９は、第１実施形態においてファクシミリ装置本体（親機）２０のＣＰＵ５７が実行する主な制御処理の流れを示すフローチャートである。
ＣＰＵ５７は、ＲＯＭ５０に記録（記憶）されているプログラムに従い、コンピュータによる各種演算処理によって、以下の各ステップ（以下、「Ｓ」と記載する）の処理を実行する。
尚、前記プログラムをコンピュータで読み取り可能な記録媒体（半導体メモリ（メモリスティックなど）、ハードディスク、フロッピーディスク、データカード（ＩＣカード，磁気カードなど）、光ディスク（ＣＤ−ＲＯＭ，ＣＤ−Ｒ，ＣＤ−ＲＷ，ＤＶＤなど）、光磁気ディスク（ＭＯなど）、相変化ディスク、磁気テープなど）を備えた外部記録装置（外部記憶装置）に記録（記憶）しておき、当該プログラムを必要に応じて外部記録装置からＣＰＵ５７にロードして起動することにより用いるようにしてもよい。
【００３３】
ＣＰＵ５７は、まず、Ｌモードゲートウェイ１６との通信を開始するキー（Ｌボタン）２２ｂが操作されたか否かを判断し（Ｓ１２）、Ｌボタン２２ｂが操作された際には（Ｓ１２：Ｙｅｓ）、親機２０でのＬモードゲートウェイ１６との通信、即ち、簡易型のインターネット検索を行うための親機用ＧＷ通信処理を行う（Ｓ１００）。一方、Ｌボタン２２ｂが操作されない限り（Ｓ１２：Ｎｏ）、子機１２０が操作され子機側からからＬモードゲートウェイ通信を開始させるＧＷ通信開始子機コマンドが送信されたか否かを判断する（Ｓ１４）。ここで、ＧＷ通信開始子機コマンドを受信すると（Ｓ１４：Ｙｅｓ）、子機１２０で、簡易型のインターネット検索を行うための子機用ＧＷ通信処理を行う（Ｓ２００）。そして、ＧＷ通信開始子機コマンドを受信しない限り（Ｓ１４：Ｎｏ）、処理を終了する。
【００３４】
引き続き、図７の上記Ｓ１００での親機用ＧＷ通信処理について、当該サブルーチンを示す図８を参照して説明する。
先ず、コマンドに対応する画像データの取得を完了したか否かを判断する（Ｓ１１０）。画像データの取得を完了すると（Ｓ１１２：Ｙｅｓ）、画像データを構成するＨＴＭＬファイルを解釈し、新しい画像データを作成し、表示器２１（図２参照）に表示する（Ｓ１１２）。そして、キー入力されるまで待機する（Ｓ１１４）。キー入力があれば（Ｓ１１４：Ｙｅｓ）、入力されたキーをコマンドへ変換し（Ｓ１１６）、コマンドがＬモードゲートウェイ１６（ＧＷ）に送付するものか否かを判断する（Ｓ１１８）。ここで、コマンドがＧＷへ送付するものであれば（Ｓ１１８：Ｙｅｓ）、入力されたキーをコマンドへ変換してＧＷへ送信する（Ｓ１２０）。
【００３５】
一方、コマンドがＧＷへ送付するものでなければ（Ｓ１１８：Ｎｏ）、コマンドは、Ｌモードゲートウェイ通信（ＧＷ通信）の終了、即ち、簡易型のインターネット検索の終了を指示するものか否かを判断する（Ｓ１３０）。ここで、ＧＷ通信の終了を指示するものでない場合には（Ｓ１３０：Ｎｏ）、入力されたキーをコマンドへ変換し、コマンドに応じた画像データを作成し、表示器２１に表示し（Ｓ１３２）、そして、コマンドに応じた処理を行う（Ｓ１３４）。そして、Ｓ１１０に戻り処理を続ける。一方、ＧＷ通信の終了が指示された場合には（Ｓ１３０：Ｙｅｓ）、Ｌモードゲートウェイとの回線を閉じる等のＧＷ通信終了の処理を行った後（Ｓ１４０）、表示器２１の画像表示を待機表示に更新してから（Ｓ１４２）、全ての処理を終了する。
【００３６】
引き続き、図７の上記Ｓ２００での子機用ＧＷ通信処理について、当該サブルーチンを示す図９を参照して説明する。
先ず、コマンドに対応する画像データの取得を完了したか否かを判断する（Ｓ２１０）。画像データの取得を完了すると（Ｓ２１０：Ｙｅｓ）、画像データを構成するＨＴＭＬファイルを解釈し、テキストデータのみを抽出し、テキストベースの子機での表示用の新画像データを作成し（Ｓ２１２）、作成した新画像データを子機へ送信する（Ｓ２１３）。これにより、後述するように子機側でテキストベースの画像が表示器１２１（図４参照）にて表示される。
【００３７】
そして、子機１２０のキー入力に対応するコマンドを受信するまで待機する（Ｓ２１４）。コマンドが受信されれば（Ｓ２１４：Ｙｅｓ）、コマンドはＬモードゲートウェイ１６（ＧＷ）に送付するものか否かを判断する（Ｓ２１８）。ここで、コマンドがＧＷへ送付するものであれば（Ｓ２１８：Ｙｅｓ）、入力されたコマンドをＧＷへ送信する（Ｓ２２０）。
【００３８】
一方、コマンドがＧＷへ送付するものでなければ（Ｓ２１８：Ｎｏ）、コマンドは、ＧＷ通信の終了、即ち、簡易型のインターネット検索の終了を指示するものか否かを判断する（Ｓ２３０）。ここで、ＧＷ通信の終了を指示するものでない場合には（Ｓ２３０：Ｎｏ）、コマンドに応じた画像データを作成し、子機側へ送信し（Ｓ２３２）。コマンドに応じた処理を行う（Ｓ２３４）。そして、Ｓ２１０に戻り処理を続ける。
【００３９】
一方、ＧＷ通信の終了が指示された場合には（Ｓ２３０：Ｙｅｓ）、Ｌモードゲートウェイ１６との回線を閉じる等のＧＷ通信終了の処理を行った後（Ｓ２４０）、子機の表示器１２１での画像表示を待機状態表示にするコマンドを子機へ送信してから（Ｓ２４２）、全ての処理を終了する。
【００４０】
［子機１２０のＣＰＵ５７が実行する主な制御処理］
図１０は、第１実施形態においてファクシミリ装置（子機）１２０のＣＰＵ１５７が実行する主な制御処理の流れを示すフローチャートである。
ＣＰＵ１５７は、ＲＯＭ１５０に記録（記憶）されているプログラムに従い、コンピュータによる各種演算処理によって、以下の各ステップの処理を実行する。
【００４１】
ＣＰＵ１５７は、キー入力されるまで待機している（Ｓ４１２）。ここで、キー入力があると（Ｓ４１２：Ｙｅｓ）、Ｌモードゲートウェイ通信（ＧＷ通信）を開始するためのキー、即ち、簡易型のインターネット検索を行うためのキーが入力されたか否かを判断し、開始キーでない場合には（Ｓ４１４：Ｎｏ）、Ｌモードゲートウェイ通信以外のキーで入力された処理を行う（Ｓ４２０）。他方、開始キーが操作された場合には（Ｓ４１４：Ｙｅｓ）、親機２０へＬモードゲートウェイ通信を開始するコマンドを送信する（Ｓ４３０）。これに対応して、親機側から上述したように、画像データを構成するＨＴＭＬファイルを解釈し、テキストデータのみを抽出し、テキストベースの子機表示用の新画像データを作成して送って来て（親機からテキストベースのデータ受信のＳ４３２：Ｙｅｓ）、受信したテキストベースのデータに基づく画像を図４に示す表示器１２１に表示する（Ｓ４３６）。
【００４２】
一方、親機２０からテキストベースのデータが送られないときは（Ｓ４３２：Ｎｏ）、親機２０からのコマンドの受信か否かを判断し（Ｓ４４０）、コマンドが受信された際には（Ｓ４４０：Ｙｅｓ）、コマンドは待機画面表示か否かを判断する（Ｓ４４２）。待機画面表示のコマンドではない場合には（Ｓ４４２：Ｎｏ）、当該コマンドに基づく処理を行い（Ｓ４４６）、Ｓ４３２へ戻る。他方、待機画面表示のコマンドが親機２０から送られた場合には（Ｓ４４２：Ｙｅｓ）、待機画像のデータを作成して表示器１２１に表示する（Ｓ４４４）。また、コマンド受信でない場合には（Ｓ４４０：Ｎｏ）、キー入力があったか否かを判断し（Ｓ４４８）、キー入力があった場合には（Ｓ４４８：Ｙｅｓ）、キーをコマンドに変換して親機２０へ送信する（Ｓ４５０）
【００４３】
[第２実施形態]
図１１は、第２実施形態に係るファクシミリ装置本体（親機）２０と子機１２０との接続関係を説明するための図である。第２実施形態では、第１実施形態と同様にファクシミリ装置本体（親機）２０は、公衆電話回線１５及び図示しない交換機を介してＬモードゲートウェイ１６に接続され、Ｌモード上での情報検索が可能なようになっている。そして、子機１２０は、テレビジョン受像器２１０、或いは、電子手帳等のＰＤＡ（Personal Digital Assistant）２２０が接続可能に構成されている。ここで、子機１２０は、テレビジョン受像器２１０、或いは、電子手帳等のＰＤＡ（Personal Digital Assistant）２２０が接続されない場合には、第１実施形態と同様に、Ｌモードゲートウェイ１６から検索されたデータの内のテキストベースの画像を表示器１２１に表示する。そして、テレビジョン受像器２１０、或いは、電子手帳等のＰＤＡ（Personal Digital Assistant）２２０が接続されている場合には、これらを画像表示装置として用い、親機側から送られた画像及びテキストベースの画像をこれら機器にて表示する。
【００４４】
第２実施形態では、子機１２０での情報検索及び情報表示が可能となり、また、テキストベースデータが送られるため、子機１２０側の小さな表示器１２１でも、Ｌモードゲートウェイ１６（サーバー）から取得した情報を快適に閲覧することが可能となる。
一方、子機１２０にテレビジョン受像器２１０、或いは、ＰＤＡ２２０等の画像表示装置が接続されている場合には、親機２０が、Ｌモードゲートウェイ１６から取得したテキスト及び画像ベースデータを子機１２０へ送信する。このため、子機に接続されたテレビジョン受像器２１０、或いは、ＰＤＡ２２０で、Ｌモードゲートウェイ１６（ＧＷ）から取得したテキスト及び画像ベースデータのフル画像を快適に閲覧することが可能となる。
【００４５】
この第２実施形態の子機１２０の電気的構成について、図１２のブロック図を参照して説明する。
この第２実施形態の子機１２０の構成は、図５を参照して上述した第１実施形態と同様である。ただし、第２実施形態の子機１２０では、テレビジョン受像器２１０へ接続するための外部接続装置１７６と、ＰＤＡ２２０と接続するための通信制御装置１７０とが備えられている。外部接続装置１７６からは、テレビのビデオ入力へケーブル接続するためのＴＶ信号が出力できるようになっている。一方、外部接続装置１７６はＰＤＡ２２０との間で、赤外線により双方向通信が可能なように構成されている。
【００４６】
引き続き、第２実施形態の親機２０側での処理について図１３を参照して説明する。
ＣＰＵ５７は、まず、Ｌモードゲートウェイ１６との通信を開始するキー（Ｌボタン）２２ｂが操作されたか否かを判断し（Ｓ１２）、Ｌボタン２２ｂが操作された際には（Ｓ１２：Ｙｅｓ）、親機２０でのＬモードゲートウェイ１６との通信、即ち、簡易型のインターネット検索を行うための親機用ＧＷ通信処理を行う（Ｓ１００）。一方、Ｌボタン２２ｂが操作されない限り（Ｓ１２：Ｎｏ）、子機１２０が操作され子機側からからＬモードゲートウェイ通信を開始させるＧＷ通信開始子機コマンドが送信されたか否かを判断する（Ｓ１４）。ここで、ＧＷ通信開始子機コマンドを受信すると（Ｓ１４：Ｙｅｓ）、子機で、簡易型のインターネット検索を行うための子機用ＧＷ通信処理を行う（Ｓ２００）。そして、ＧＷ通信開始子機コマンドを受信しない場合には（Ｓ１４：Ｎｏ）、子機側からテレビジョン受像器２１０、或いは、ＰＤＡ２２０が接続されたことを知らせるコマンドを受信したか否かを判断する（Ｓ１６）。ここで、接続有りのコマンドを受信すると（Ｓ１６：Ｙｅｓ）、テレビジョン受像器２１０、或いは、ＰＤＡ２２０等の外部機器が接続されたことを識別するための外部機器接続フラグを設定する（Ｓ１８）。他方、接続有りのコマンドが受信されない間は（Ｓ１６：Ｎｏ）、外部機器を外した旨のコマンドが子機側からあるか否かを判断する（Ｓ２０）。ここで、外部機器を外した旨のコマンドが子機側から送られると（Ｓ２０：Ｙｅｓ）、外部機器接続フラグをリセットする（Ｓ２２）。
【００４７】
第２実施形態の親機用ＧＷ通信処理（Ｓ１００）は、図８を参照して上述した第１実施形態と同様であるため、図示及び説明を省略し、子機用ＧＷ通信処理（Ｓ２００）について、図１４及び図１５を参照して説明する。
ＣＰＵ５７は、先ず、子機に外部機器が接続されたことを識別するための外部機器接続フラグが設定されているか否かを判断する（Ｓ３０８）。ここで、外部機器接続フラグが設定されていない、即ち、子機に外部機器が接続されていない場合には（Ｓ３０８：Ｎｏ）、図１５に示すＳ２１０へ移行する。図１５におけるＳ２１０〜Ｓ２４２の処理は、第１実施形態の子機側でテキストベースの画像を表示する図８を参照して上述した処置と同様であるため説明を省略する。
【００４８】
一方、外部機器接続フラグが設定されている、即ち、子機に外部機器が接続されている場合には（Ｓ３０８：Ｙｅｓ）、Ｓ３１０へ移行しコマンドに対応する画像データの取得を完了したか否かを判断する。画像データの取得を完了すると（Ｓ３１２：Ｙｅｓ）、画像データを構成するＨＴＭＬファイルを解釈し、画像及びテキストベースからなる子機の外部機器表示用の新画像データを作成し（Ｓ３１２）、作成した新画像データを子機へ送信する（Ｓ３１３）。これにより、上述したように子機に接続されたテレビジョン受像器２１０又はＰＤＡ２２０で画像及びテキストベースの画像が表示される。
【００４９】
そして、子機のキー入力に対応するコマンドを受信するまで待機する（Ｓ３１４）。コマンドが受信されれば（Ｓ３１４：Ｙｅｓ）、受信コマンドを対ＧＷ通信コマンドへ変換した後（Ｓ３１６）、コマンドはＬモードゲートウェイ１６（ＧＷ）に送付するものか否かを判断する（Ｓ３１８）。ここで、コマンドがＧＷへ送付するものであれば（Ｓ３１８：Ｙｅｓ）、入力されたコマンドをＧＷへ送信する（Ｓ３２０）。
【００５０】
一方、コマンドがＧＷへ送付するものでなければ（Ｓ３１８：Ｎｏ）、コマンドは、ＧＷ通信の終了、即ち、簡易型のインターネット検索の終了を指示するものか否かを判断する（Ｓ３３０）。ここで、ＧＷ通信の終了を指示するものでない場合には（Ｓ３３０：Ｎｏ）、コマンドに応じた画像データを作成し、子機側へ送信し（Ｓ３３２）。コマンドに応じた処理を行う（Ｓ３３４）。そして、Ｓ３１０に戻り処理を続ける。
【００５１】
一方、ＧＷ通信の終了が指示された場合には（Ｓ３３０：Ｙｅｓ）、Ｌモードゲートウェイ１６との回線を閉じる等のＧＷ通信終了の処理を行った後（Ｓ３４０）、子機の表示器１２１及び外部機器（画像表示装置）２１０，２２０での画像表示を待機状態表示にするコマンドを子機へ送信してから（Ｓ３４２）、全ての処理を終了する。
【００５２】
次に、子機１２０のＣＰＵ１５７が実行する処理について説明する。図１６は、第２実施形態においてファクシミリ装置（子機）１２０のＣＰＵ１５７が実行する主な制御処理の流れを示すフローチャートである。
【００５３】
ＣＰＵ１５７は、キー入力されるまで待機している（Ｓ４１２）。ここで、キー入力があると（Ｓ４１２：Ｙｅｓ）、Ｌモードゲートウェイ通信（ＧＷ通信）を開始するためのキー、即ち、簡易型のインターネット検索を行うためのキーが入力されたかを判断し、開始キーでない場合には（Ｓ４１４：Ｙｅｓ）、外部機器（テレビジョン受像器２１０又はＰＤＡ２２０）が接続されているか否かを検出する（Ｓ４１６）。そして、外部機器の接続に変化、即ち、接続されたか又は外されたか否かを判断し（Ｓ４１８）、接続に変化がない場合（Ｓ４１８：Ｎｏ）、Ｌモードゲートウェイ通信以外の処理を行う（Ｓ４２０）。外部機器の接続に変化があった場合（Ｓ４１８：Ｙｅｓ）、外部機器が接続された場合には（Ｓ４２２：Ｙｅｓ）、接続を知らせるコマンドを親機２０へ送信し（Ｓ４２４）、接続が外された場合には（Ｓ４２２：Ｎｏ）、外部機器が外されたことを知らせるコマンドを親機２０へ送信する（Ｓ４２６）。
【００５４】
他方、開始キーが操作された場合には（Ｓ４１４：Ｙｅｓ）、親機２０へＬモードゲートウェイ通信を開始するコマンドを送信する（Ｓ４３０）。これに対応して、親機側から新画像データを作成して送って来て（Ｓ４３２：Ｙｅｓ）、外部機器が接続されている場合には（Ｓ４３４：Ｙｅｓ）、受信した画像及びテキストベースの信号を、テレビジョン受像器２１０又はＰＤＡ２２０へ出力して、
これら機器により画像表示する。他方、外部機器が接続されてない場合には（Ｓ４３４：Ｎｏ）、受信したテキストベースの信号を、表示器１２１で表示する。
【００５５】
一方、親機２０からテキストベースのデータが送られないときは（Ｓ４３２：Ｎｏ）、親機２０からのコマンドの受信か否かを判断し（Ｓ４４０）、コマンドが受信された際には（Ｓ４４０：Ｙｅｓ）、コマンドは待機画面表示か否かを判断する（Ｓ４４２）。待機画面表示のコマンドではない場合には（Ｓ４４２：Ｎｏ）、当該コマンドに基づく処理を行い（Ｓ４４６）、Ｓ４３２へ戻る。他方、待機画面表示のコマンドが親機２０から送られた場合には（Ｓ４４２：Ｙｅｓ）、待機画像のデータを作成して表示器１２１及びテレビジョン受像器２１０又はＰＤＡ２２０で表示する（Ｓ４４４）。また、コマンド受信でない場合には（Ｓ４４０：Ｎｏ）、キー入力があったか否かを判断し（Ｓ４４８）、キー入力があった場合には（Ｓ４４８：Ｙｅｓ）、キーにをコマンドに変換して親機２０へ送信する（Ｓ４５０）
【００５６】
[第３実施形態]
図１７は、第３実施形態に係るファクシミリ装置本体（親機）２０と子機１２０Ａ、１２０Ｂとの接続関係を説明するための図である。第３実施形態では、第１実施形態と同様にファクシミリ装置本体（親機）２０は、公衆電話回線１５及び図示しない交換機を介してＬモードゲートウェイ１６に接続され、Ｌモード上での情報検索が可能なようになっている。そして、子機としてテキストベースの画像のみが表示可能な子機１２０Ａと、画像及びテキストベースデータの表示可能な子機１２０Ｂとの２種類が設けられている。親機２０は、テキストベースの画像のみが表示可能な子機１２０Ａから検索情報の転送が要求された場合には、テキストベースの画像データを送信し、また、画像及びテキストベースの画像が表示可能な子機１２０Ｂから検索情報の転送が要求された場合には、画像及びテキストベースの画像データを送信するよう構成されている。
【００５７】
このため、第３実施形態では、画像ベースデータ表示不可能な子機１２０Ａでも、Ｌモードゲートウェイ１６（サーバー）から取得した情報を閲覧することが可能となる。一方、画像ベースデータ表示可能な子機１２０Ｂには、テキスト及び画像ベースデータを送信するする。このため、Ｌモードゲートウェイ１６から取得したテキスト及び画像ベースデータのフル画像を快適に閲覧することが可能となる。
【００５８】
また、更に第３実施形態では、画像ベースデータ表示可能な子機１２０Ｂでも設定により、表示器２１で表示する画像を、画像ベースデータと、テキストベースのデータとのいずれかを選択できるように構成されている。このため、早い画像転送速度を望む利用者の要求と、フル画像の転送を望む利用者の要求とをそれぞれ満たすことができる。
【００５９】
引き続き、第３実施形態の親機２０側での処理について説明する。
ＣＰＵ５７は、まず、Ｌモードゲートウェイ１６との通信を開始するキー（Ｌボタン）２２ｂが操作されたか否かを判断し（Ｓ１２）、Ｌボタン２２ｂが操作された際には（Ｓ１２：Ｙｅｓ）、親機２０でのＬモードゲートウェイ１６との通信、即ち、簡易型のインターネット検索を行うための親機用ＧＷ通信処理を行う（Ｓ１００）。一方、Ｌボタン２２ｂが操作されない限り（Ｓ１２：Ｎｏ）、子機１２０が操作され子機側からからＬモードゲートウェイ通信を開始させるＧＷ通信開始子機コマンドが送信されたか否かを判断する（Ｓ１４）。ここで、ＧＷ通信開始子機コマンドを受信すると（Ｓ１４：Ｙｅｓ）、子機１２０で、簡易型のインターネット検索を行うための子機用ＧＷ通信処理を行う（Ｓ２００）。そして、ＧＷ通信開始子機コマンドを受信しない限り（Ｓ１４：Ｎｏ）、処理を終了する。
【００６０】
第３実施形態の親機用ＧＷ通信処理（Ｓ１００）は、図８を参照して上述した第１実施形態と同様であるため、図示及び説明を省略し、子機用ＧＷ通信処理（Ｓ２００）について、図１９及び図２０を参照して説明する。
ＣＰＵ５７は、先ず、データの取得要求があった子機の画像ベースデータが表示可能か、即ち、子機１２０Ｂか否かを判断する（Ｓ３０６）。そして、画像ベースデータが表示可能である際には（Ｓ３０６：Ｙｅｓ）、該子機１２０Ｂからテキストベースの要求が成されているか否かを判断する（Ｓ３０８）。ここで、データの取得要求があった子機が画像ベースデータの表示が不可能な場合（Ｓ３０６：Ｎｏ）、或いは、画像ベースデータが表示可能であるが該子機１２０Ｂからテキストベースの画像データの要求が成されている場合（Ｓ３０８：Ｎｏ）、図２０に示すＳ２１０へ移行する。図２０におけるＳ２１０〜Ｓ２４２の処理は、第１実施形態の子機側でテキストベースの画像を表示する図８を参照して上述した処置と同様であるため説明を省略する。
【００６１】
一方、画像ベースデータが表示可能である該子機１２０Ｂで、画像ベースの画像データの要求が成されている場合（Ｓ３０８：Ｙｅｓ）、Ｓ３１０へ移行しコマンドに対応する画像データの取得を完了したか否かを判断する。画像データの取得を完了すると（Ｓ３１０：Ｙｅｓ）、画像データを構成するＨＴＭＬファイルを解釈し、画像及びテキストベースの子機１２０Ｂの外部機器表示用の新画像データを作成し（Ｓ３１２）、作成した新画像データを子機へ送信する（Ｓ３１３）。これにより、子機１２０Ｂの表示器１２１で画像及びテキストベースの画像が表示される。
【００６２】
そして、子機１２０Ｂのキー入力に対応するコマンドを受信するまで待機する（Ｓ３１４）。コマンドが受信されれば（Ｓ３１４：Ｙｅｓ）、受信コマンドを対ＧＷ通信コマンドに変換した後（Ｓ３１６）、コマンドはＬモードゲートウェイ（ＧＷ）に送付するものか否かを判断する（Ｓ３１８）。ここで、コマンドがＧＷへ送付するものであれば（Ｓ３１８：Ｙｅｓ）、コマンドをＧＷへ送信する（Ｓ３２０）。
【００６３】
一方、コマンドがＧＷへ送付するものでなければ（Ｓ３１８：Ｎｏ）、コマンドは、ＧＷ通信の終了、即ち、簡易型のインターネット検索の終了を指示するものか否かを判断する（Ｓ３３０）。ここで、ＧＷ通信の終了を指示するものでない場合には（Ｓ３３０：Ｎｏ）、コマンドに応じた画像データを作成し、子機側へ送信し（Ｓ３３２）。コマンドに応じた処理を行う（Ｓ３３４）。そして、Ｓ３１０に戻り処理を続ける。
【００６４】
一方、ＧＷ通信の終了が指示された場合には（Ｓ３３０：Ｙｅｓ）、Ｌモードゲートウェイとの回線を閉じる等のＧＷ通信終了の処理を行った後（Ｓ３４０）、子機の表示器１２１の画像表示を待機状態表示にするコマンドを子機へ送信してから（Ｓ３４２）、全ての処理を終了する。
【００６５】
次に、子機１２０Ａ及び子機１２０ＢのＣＰＵ１５７が実行する処理について説明する。図２１は、第３実施形態においてテキストベースの画像のみを表示し得る子機１２０ＡのＣＰＵ１５７が実行する主な制御処理の流れを示すフローチャートであり、図２２は、画像ベースデータが表示可能な子機１２０Ｂでの処理を示すフローチャートである。ここで、図２１に示すテキストベースの画像のみを表示し得る子機１２０Ａでの処理は、図１０を参照した第１実施形態の子機１２０での処理と同様であるため説明を省略し、画像ベースデータが表示可能な子機１２０Ｂでの処理について、図２２を参照して説明を行う。
【００６６】
ＣＰＵ１５７は、キー入力がなされるまで待機している（Ｓ４１２）。ここで、キー入力があると（Ｓ４１２：Ｙｅｓ）、キーは転送データの指定か否かを判断する（Ｓ４１３）。ここで、利用者によりテキストベースの画像表示が指定された場合、及び、画像ベースデータが指定された場合には（Ｓ４１３：Ｙｅｓ）、当該転送データの指定するコマンドを親機側へ送信する（Ｓ４１５）。
【００６７】
キーが転送データの指定でない場合には（Ｓ４１３：Ｎｏ）、Ｌモードゲートウェイ通信（ＧＷ通信）を開始するためのキー、即ち、簡易型のインターネット検索を行うためのキーが入力されたか否かを判断し（Ｓ４１４）、開始キーでない場合には（Ｓ４１４：Ｎｏ）、Ｌモードゲートウェイ通信以外の処理を行う（Ｓ４２０）。他方、開始キーが操作された場合には（Ｓ４１４：Ｙｅｓ）、親機２０へＬモードゲートウェイ通信を開始するコマンドを送信する（Ｓ４３０）。これに対応して、親機側から新画像データを作成して送って来た際には（Ｓ４３２：Ｙｅｓ）、受信した画像及びテキストベースの画像、又は、テキストベースの画像を表示器１２１にて表示する。以降のＳ４４０〜Ｓ４５０での処理は上述した第１実施形態と同様であるため説明を省略する。
【００６８】
[第４実施形態]
図２３は、第４実施形態に係るファクシミリ装置本体（親機）２０と子機１２０との接続関係を説明するための図である。第４実施形態では、第１実施形態と同様にファクシミリ装置本体（親機）２０は、公衆電話回線１５及び図示しない交換機を介してＬモードゲートウェイ１６に接続され、Ｌモード上での情報検索が可能なようになっている。そして、子機１２０は、電子手帳等のＰＤＡ（Personal Digital Assistant）２２０が接続可能に構成されている。
【００６９】
第４実施形態では、親機２０が、公衆電話回線１５を介してＬモードゲートウェイ１６からテキストデータと、少なくとも静止画、動画、音声のいずれか１のデータと取得する。そして、親機２０から子機１２０を介してＰＤＡ２２０に取得したデータを送る際に、子機２０側で展開可能なデータの種類を識別し、子機側で展開可能なデータのみを送信する。このため、子機側では、Ｌモードゲートウェイ１６（サーバー）から取得したデータの内の展開可能なデータを適正に閲覧することが可能となる。
【００７０】
この第４実施形態の親機２０側のＣＰＵ５７での主処理（Ｓ１２、Ｓ１００の親機用ＧＷ通信処理、Ｓ１４，Ｓ２００の子機用ＧＷ通信処理）は、図７を参照して上述した第１実施形態と同様であり、また、主処理中のＳ１００での親機用ＧＷ通信処理も第１実施形態と同様であるため、Ｓ２００での子機用ＧＷ通信処理について図２４及び図２５を参照して説明する。
【００７１】
この図２４における子機用ＧＷ通信処理では、Ｓ５００でのデータを子機へ転送の処理を除き、図１４を参照して上述した第２実施形態での子機用ＧＷ通信処理と同様であるため、Ｓ５００でのデータを子機１２０へ送信処理について、当該処理のサブルーチンを示す図２５を参照して説明する。
【００７２】
当該サブルーチンでは、先ず、子機１２０で処理し得るデータの種類を識別する（Ｓ５１０）。そして、未転送データがあるか否かを判断し（Ｓ５１２）、未転送データがある場合には（Ｓ５１２：Ｙｅｓ）、未転送データがテキストベースの画像か否かを判断し（Ｓ５１４）、テキストベースの画像の場合には（Ｓ５１４：Ｙｅｓ）、当該テキストベースの画像を子機側へ転送する（Ｓ５１６）。更に、未転送データが画像ベースの画像か否かを判断し（Ｓ５２４）、画像ベースの場合には（Ｓ５２４：Ｙｅｓ）、当該画像ベースデータを子機側へ転送する（Ｓ５２６）。そして、未転送データが動画の場合には、上記Ｓ５１０での識別に基づき、子機側、即ち、子機に接続されたＰＤＡ２２０で表示可能か否かを判断し（Ｓ５３４）、表示可能な場合には（Ｓ５３４：Ｙｅｓ）、当該動画を子機側へ転送する（Ｓ５３６）。更に、未転送データが音声の場合には、子機側、即ち、子機に接続されたＰＤＡ２２０で出力可能か否かを判断し（Ｓ５３８）、出力可能な場合には（Ｓ５３８：Ｙｅｓ）、当該音声データを子機側へ転送する（Ｓ５４０）。
【００７３】
第４実施形態の子機側での処理について、図２６を参照して説明する。この第４実施形態の子機側処理は、Ｓ４２４での処理を除き、図１６を参照して上述した第２実施形態と同様であるため、当該Ｓ４２４での処理についてのみ説明する。このＳ４２４では、接続を検出した外部機器（ＰＤＡ）の識別するためのコマンドを親機２０へ送信する。これにより、親機２０は、子機１２０で処理し得るデータの種類を識別し（Ｓ５１０）、上述したように当該外部機器（ＰＤＡ）及び子機１２０で処理できるデータの種別を識別し（Ｓ５１２）、処理可能なデータのみを転送する（Ｓ５１４〜Ｓ５４０）。
【００７４】
なお、上記実施形態は、Ｌモード対応の各種通信機器１１の一例としてＬモード対応ファクシミリに具体化したものである。
しかし、Ｌモード対応の各種通信機器１１であれば、どのような通信機器（例えば、Ｌモード対応電話機）に適用してもよい。
【００７５】
動画や音声なども展開可能な子機あるいはＰＤＡ等であっても、それらが画像等のデータを要求しない場合にも、上記実施形態と同様に構成しても良いことは言うまでもない。また、本発明の記録方式はサーマル記録方式に限定するものではなく、レーザ記録方式、インクジェット記録方式であっても良い。
【００７６】
尚、上述した［特許請求の範囲］および［課題を解決するための手段および発明の効果］に記載した構成要素と、後述する［発明の実施の形態］に記載した構成部材との対応関係は以下のようになっている。
請求項１でのデータ要求手段が、図２６でのＳ４５０の処理に対応し、展開データ識別手段が、図２５でのＳ５１０での処理に対応し、送信手段が、図２５でのＳ５１６、Ｓ５２６，Ｓ５３６、Ｓ５４０での処理に対応する。
「プログラム」は、ＣＰＵ５７又はＣＰＵ１５７が実行する図７〜図１０、図１３〜図１６、図１９〜図２２，図２４〜図２６に示すフローチャートの処理に該当する。
「記録媒体」は、ＲＯＭ５０、ＲＯＭ１５０に該当する。
【図面の簡単な説明】
【図１】Ｌモードにおける通信システムの概略構成を示すブロック図。
【図２】本発明を具体化したＬモード対応ファクシミリの本体の外観を示す平面図。
【図３】Ｌモード対応ファクシミリの本体の電気的構成を示すブロック回路図。
【図４】第１実施形態におけるＬモード対応ファクシミリの子機の外観を示す平面図。
【図５】第１実施形態に係るＬモード対応ファクシミリの子機の電気的構成を示すブロック回路図。
【図６】第１実施形態に係るＬモード対応ファクシミリの親機と子機との接続関係を示す説明図。
【図７】第１実施形態に係る本体に備えられたＣＰＵが実行する主な制御処理の流れを示すフローチャート。
【図８】図７中の親機用ＧＷ通信処理のサブルーチンを示すフローチャート。
【図９】図７中の子機用ＧＷ通信処理のサブルーチンを示すフローチャート。
【図１０】第１実施形態に係る子機に備えられたＣＰＵが実行する主な制御処理の流れを示すフローチャート。
【図１１】第２実施形態に係るＬモード対応ファクシミリの親機と子機との接続関係を示す説明図。
【図１２】第２実施形態に係るＬモード対応ファクシミリの子機の電気的構成を示すブロック回路図。
【図１３】第２実施形態に係る本体に備えられたＣＰＵが実行する主な制御処理の流れを示すフローチャート。
【図１４】図１３中の子機用ＧＷ通信処理のサブルーチンを示すフローチャート。
【図１５】図１３中の子機用ＧＷ通信処理のサブルーチンを示すフローチャート。
【図１６】第２実施形態に係る子機に備えられたＣＰＵが実行する主な制御処理の流れを示すフローチャート。
【図１７】第３実施形態に係るＬモード対応ファクシミリの親機と子機との接続関係を示す説明図。
【図１８】第３実施形態に係る本体に備えられたＣＰＵが実行する主な制御処理の流れを示すフローチャート。
【図１９】図１８中の子機用ＧＷ通信処理のサブルーチンを示すフローチャート。
【図２０】図１８中の子機用ＧＷ通信処理のサブルーチンを示すフローチャート。
【図２１】第３実施形態に係る画像ベースデータ表示不可能な子機に備えられたＣＰＵが実行する主な制御処理の流れを示すフローチャート。
【図２２】第３実施形態に係る画像ベースデータ表示可能な子機に備えられたＣＰＵ１５７が実行する主な制御処理の流れを示すフローチャート。
【図２３】第４実施形態に係るＬモード対応ファクシミリの親機と子機との接続関係を示す説明図。
【図２４】第４実施形態での子機用ＧＷ通信処理のサブルーチンを示すフローチャート。
【図２５】図２４中でのＳ５００での処理のサブルーチンを示すフローチャート。
【図２６】第４実施形態に係る子機に備えられたＣＰＵが実行する主な制御処理の流れを示すフローチャート。
【符号の説明】
１０…Ｌモードにおける通信システム
１１…Ｌモード対応の各種通信機器
１５…公衆電話回線
１６…Ｌモードゲートウェイ
２０…Ｌモード対応ファクシミリの本体（親機）
２１…表示器
２２…ボタン類
４１…パネルＧＡ
４２…モータ
４３…サーマルヘッド
４６…ＡＦＥ
５０…ＲＯＭ
５１…ＲＡＭ
５２…ＥＥＰＲＯＭ
５４…クロスポイントスイッチ
５６…ＮＣＵ
５７…ＣＰＵ
５８…記録回路
６０…ＦＡＸ・データモデム
１２０…ファクシミリの子機
１２１…表示器
１２２…ボタン類
１５０…ＲＯＭ
１５１…ＲＡＭ
１５２…ＥＥＰＲＯＭ
１５７…ＣＰＵ
【図１】
0003767444.tif 000002
【図２】
0003767444.tif 000003
【図３】
0003767444.tif 000004
【図４】
0003767444.tif 000005
【図５】
0003767444.tif 000006
【図６】
0003767444.tif 000007
【図７】
0003767444.tif 000008
【図８】
0003767444.tif 000009
【図９】
0003767444.tif 000010
【図１０】
0003767444.tif 000011
【図１１】
0003767444.tif 000012
【図１２】
0003767444.tif 000013
【図１３】
0003767444.tif 000014
【図１４】
0003767444.tif 000015
【図１５】
0003767444.tif 000016
【図１６】
0003767444.tif 000017
【図１７】
0003767444.tif 000018
【図１８】
0003767444.tif 000019
【図１９】
0003767444.tif 000020
【図２０】
0003767444.tif 000021
【図２１】
0003767444.tif 000022
【図２２】
0003767444.tif 000023
【図２３】
0003767444.tif 000024
【図２４】
0003767444.tif 000025
【図２５】
0003767444.tif 000026
【図２６】
0003767444.tif 000027